(57)【特許請求の範囲】
【請求項１】
針アシスト型のジェット式注射装置に使用するためのものであり、上記針アシスト型のジェット式注射装置が針を有する針組立体と、針ガードとを有する係止機構であって、上記針ガードが注射される表面に対して配置され、注射装置の注射の前後に針を保護するように形状付けられ、当該針ガードは、上記針が同針ガードの内側へ引き戻される第１の針引込め位置と、上記針が上記表面内への注射のために該針ガードの外側へ延びる針伸長位置と、当該針が注射後に該針ガードの内側へ引き戻される第２の針引込め位置との間を移動できるようになった係止機構において、
上記針組立体を保持するように形状づけられ、寸法決めされ、少なくとも１つの第１の係合部分を有するホルダ部材と；
上記針伸長位置及び上記第２の針引込め位置において当該ホルダ部材の上記少なくとも１つの第１の係合部分と係合するようになった少なくとも１つの第２の係合部分を有する係止部材と；
を有し、上記係止部材が上記第１の針引込め位置で上記針ガードにより保持され、上記針伸長位置及び上記第２の針引込め位置で上記ホルダ部材により係止され、当該針伸長位置への当該針ガードの更なる運動を防止しかつ上記針の再使用を阻止するように、当該第２の針引込め位置において該針ガードと係止関係になることを特徴とする係止機構。
【請求項２】
上記係止部材が、
実質上環状の部分と；
上記環状の部分の末端から延びる少なくとも１つの外方へ偏倚された脚部と；を有し、
上記針ガードは少なくとも１つの凹所を有し、上記係止部材が上記第１の針引込め位置で当該凹所に保持されているときに上記少なくとも１つの脚部も上記凹所に受け入れられるようになっており、
上記脚部のその外方への偏倚力のために上記係止部材が上記針ガードの上記凹所内に保持された状態を維持し、当該脚部は、同脚部の上記外方への偏倚力に打ち勝つのに十分な力が作用したときに、上記針ガードの少なくとも１つの凹所から外れるように、弾性的になっていることを特徴とする請求項１に記載の係止機構。
【請求項３】
上記係止部材の上記少なくとも１つの第２の係合部分が上記環状の部分の基端に形成されたアンダーカット部分であり、同アンダーカット部分が上記ホルダ部材の上記第１の係合部分を受け入れてこれらを合致させるように寸法決めされ、形状づけられることを特徴とする請求項２に記載の係止機構。
【請求項４】
上記環状の部分の上記基端が更に、その端部から内方へ延びる内表面上に傾斜部分を有し、上記係止部材の上記傾斜部分は、上記ホルダ部材が上記アンダーカットに係合する前に、当該ホルダ部材の上記第１の係合部分と係合するように、当該環状の部分の外円周表面に関して角度をなしていることを特徴とする請求項３に記載の係止機構。
【請求項５】
上記少なくとも１つの外方へ偏倚された脚部が針ガードの上記少なくとも１つの凹所との係合解除の後に外方へ跳ね返り、上記針ガードの基端方向への運動の実質的な遮断により上記針の再使用を阻止するために上記第２の針引込め位置で上記針ガード内表面上に形成された肩部と当接することを特徴とする請求項２乃至４のいずれか１項に記載の係止機構。
【請求項６】
上記ホルダ部材が、
その基端での実質上円筒状の部分と；
その末端での上記少なくとも１つの第１の係合部分と；
実質上これらの間に位置する内壁と；
を有し、上記円筒状の部分及び上記内壁が上記針組立体と合致するように形状づけられ、寸法決めされることを特徴とする請求項１乃至５のいずれか１項に記載の係止機構。
【請求項７】
上記内壁がそこを通る上記針組立体の部分を受け入れるために上記基端側と上記末端側との間を延びる円形開口を有することを特徴とする請求項６に記載の係止機構。
【請求項８】
上記第１の係合部分が上記内壁から末端方向に延びる少なくとも１つのアームであり、上記アームが上記係止部材の上記第２の係合部分と係合するように形状づけられ、寸法決めされる延長部分を有することを特徴とする請求項６に記載の係止機構。
【請求項９】
上記第１の係合部分の上記アームの上記延長部分が上記係止部材と摺動して係合するようになった傾斜部分を有することを特徴とする請求項８に記載の係止機構。
【請求項１０】
上記ホルダ部材が、
その基端での実質上円筒状の部分と；
その末端での上記少なくとも１つの第１の係合部分と；
実質上これらの間に位置する内壁と；
を有し、上記円筒状の部分及び上記内壁が上記針組立体と合致するように形状づけられ、
寸法決めされ、
上記第１の係合部分が上記内壁から末端方向に延びる少なくとも１つのアームであり、
上記アームが上記係止部材の上記第２の係合部分と係合するように形状づけられ、寸法決めされる延長部分を有し、当該アームの上記延長部分が上記係止部材の上記傾斜部分と摺動して係合する傾斜部分を有することを特徴とする請求項４乃至８のいずれか１項に記載の係止機構。
【請求項１１】
上記ホルダ部材の上記傾斜部分は、上記係止部材の上記傾斜部分との関係において、上記両方の傾斜部分がその上での他方の傾斜部分の摺動を許容して、上記針伸長位置で上記第１の係合部分が上記第２の係合部分と係合するのを許容するように、上記係止部材の当該傾斜部分に対して相補的になっていることを特徴とする請求項１０に記載の係止機構。
【発明の詳細な説明】
【０００１】
【発明の分野】
本発明は薬剤の送給のための装置と一緒に使用する係止機構に関し、特に、針との意図しない接触の可能性を減少させ、針の意図的な再使用を防止するための短い針を備えたジェット式注射装置と一緒に使用する係止機構に関する。
【０００２】
【発明の背景】
種々幅広い針無し注射装置は当業界で既知である。このような注射装置の例は米国特許第５，５９９，３０２号、同第５，０６２，８３０号及び同第４，７９０，８２４号各明細書に開示されたものを含む。一般に、これら及び同様の注射装置はジェットが皮膚を通過できるのに十分な圧力の下で送給される細くて高速のジェットとして薬剤を投与する。
【０００３】
皮膚はいくつかの層からなる組織であり、注射装置は最外側の層の外表面に適用されるので、送給圧力は皮膚のすべての層を貫通するのに十分な高さでなければならない。皮膚の層は表皮、皮膚の最外側の層、真皮及び皮下領域を含む。必要な送給圧力は典型的には（流体ストリームの横断面積で割った流体ストリームの力として測定して）ほぼ４０００ｐ．ｓ．ｉ．である。
【０００４】
大半の注射装置においてこの圧力を容易に達成できるが、減少した圧力の下で皮下領域に薬剤を送給するのが望ましいある状況がある。例えば、直線タンパク質形状の如き特定の分子構造配列を必要とする薬剤は薬剤の構造配列を改変するような高圧での薬剤の送給により生じるせん断力のため有効で無くなることがある。高圧で大量の流体を送給するのは少量に比べて一層困難なので、一層低い圧力の使用が大量の流体の送給を容易にする。更に、一層低い圧力は注射装置の製造を一層安価にできる。一層低い圧力はまた、装置上の不利な応力を減少させ、使用可能な装置の寿命を増大させる。更に、一層低い圧力は、ジェット注射を、ジェット式注射装置により典型的に達成される圧力に典型的に耐えることのできないガラスアンプル内で貯蔵され、送給される薬剤と両立できるようにする。
【０００５】
針無しジェット式注射装置に関連する利点の１つは、皮下針が無いことである。誰もが持っている針に対する恐怖を考えれば、針無しは心理的な利益を提供する。普通の皮下針を利用する装置でさえ、この心理的な利益を利用するように企てられた。例えば、米国特許第４，５５３，９６２号及び同第４，３７８，９１５号各明細書に開示されたもののような自己注射装置又は自動注射装置は作動するまでは隠れている引き戻し可能な針を有する。作動時に、針は装置の底から伸長し、使用者の皮膚を貫通して薬剤を送給する。これらの装置はいずれもジェット注射を使用する薬剤の送給を含まないので、薬剤送給位置は針の長さにより制限される。例えば、皮下領域内へ送給したい場合は、針は皮下領域へ到達するのに十分な長さを有しなければならない。更に、自動注射装置は注射器のように作動するので、注射時間は数秒又はそれより長い。これに対し、ジェット式注射装置は典型的には１秒の数分の１である。
【０００６】
米国特許第５，３０４，１２８号明細書は注射を補助するために短い針を使用するジェット射出注射器を開示している。注射器は注射器を通して針から薬剤を駆逐するためにガス動力被駆動プランジャを使用する。注射器が駆動され、次いで注射される人間の皮膚を穿孔するように伸長されるまで、針は引き戻されている。しかし、注射器が使用された後は、針は伸長状態に留まる。伸長した針は、事故的な注射や病気の蔓延の如き可能性のあるバイオハザード即ち生物災害及び安全配慮を引き起こすことがある。また、ガス動力プランジャは複雑で製造費が高い。
【０００７】
ＰＣＴ公開ＷＯ９９／０３５２１号明細書は「ジェット」注射の定義されない概念を開示している。しかし、この明細書は概念を実行するのに必要な駆動機構の詳細を教示していない。
【０００８】
ＰＣＴ公開ＷＯ９９／２２７９０号明細書は注射装置の使用の前後の双方で針を隠す引き戻し可能なシールドを有する針アシスト型の注射装置を教示している。開示された注射装置は化学反応により生じる圧力で作動する駆動機構を有する。この化学的に作動する駆動機構のため、注射装置の注射時間は少なくとも３秒であり、５秒以上に一層なり勝ちである。この比較的長い注射時間は注射を受けている患者に不愉快を与えることがある。また、針は長い注射中に移動して、患者の不愉快を増大させることがある。
【０００９】
最小侵入の医療手順の場合でさえ、手順のための時間を最小に維持するのが有利である。従って、比較的低圧で作動でき、薬剤を迅速に送給できる針アシスト型のジェット式注射装置の要求がある。また、露出した針に関連する医療災害を阻止するために引き戻し可能な又は隠される針を有するそのような注射装置の要求もある。また、使用後に、針が取り外されるか又は交換されるまで次の使用を阻止されるように、１回のみ使用できる引き戻し可能な又は隠すことが可能な針を有する注射装置の要求もある。
【００１０】
【発明の概要】
本発明は針アシスト型のジェット式注射装置と一緒に使用する係止機構に関する。針アシスト型のジェット式注射装置は針を備えた針組立体と、針組立体に関連する針ガードとを有する。針ガードは注射すべき表面に対して置かれるようになっており、注射装置の注射前後で針を保護するためのものである。針ガードは、針が針ガードの内側へ引き戻される第１の針引込め位置と、表面内への注射のために針ガードの外側へ延びる針伸長位置と、針が注射後に針ガードの内側へ引き戻される第２の針引込め位置との間を移動できる。
【００１１】
係止機構はホルダ部材と係止部材とを有する。ホルダ部材は針組立体を保持するように形状づけられ、寸法決めされ、少なくとも１つの第１の係合部分を有する。係止部材は針ガード及び係合部分と作動的に関連する。係止部材は針伸長位置及び第２の針引込め位置でホルダ部材の少なくとも１つの第１の係合部分と係合するようになった少なくとも１つの第２の係合部分を有する。係止部材は第１の針引込め位置で針ガードと関連し、針伸長位置及び第２の針引込め位置でホルダ部材と関連し、針伸長位置内への針ガードの更なる運動を防止し及び針の再使用を阻止するように第２の針引込め位置で針ガードと係止関係になる。
【００１２】
係止部材は実質上環状の部分と、環状の部分の末端から延びる少なくとも１つの外方へ偏倚された脚部分とを有することができる。この実施の形態においては、針ガードは、係止部材が第１の針引込め位置で針ガードと関連するときに、少なくとも１つの脚部を受け入れるための少なくとも１つの凹所を有する。脚部は、その外方へ偏倚された力のために針ガードと関連するその位置を維持し、脚部の外方へ偏倚された力に打ち勝つのに十分な力の適用時に針ガードの少なくとも１つの凹所から外れることができるような弾性を有する。
【００１３】
係止部材の第２の係合部分は係止部材の環状の部分の基端に形成されたアンダーカット部分を有することができる。アンダーカット部分は好ましくはこれと合致するホルダ部材の第１の係合部分を受け入れるように寸法決めされ、形状づけられる。環状の部分の基端はまた、その端部から内方へ延びる内表面上の傾斜部分を有することができる。係止部材の傾斜部分は、ホルダ部材がアンダーカット部分と係合する前に、ホルダ部材の第１の係合部分と係合するように環状の部分の外円周表面に関して角度をなしている。
【００１４】
係止部材の外方へ偏倚された脚部は好ましくは針ガードの凹所から外れた後に外方へ跳ね出る。次いで、これらの脚部は第２の針引込め位置で針ガードの内側表面に形成された肩部に当接し、針ガードの基端方向への運動を実質上阻止することにより針の再使用を阻止する。
【００１５】
ホルダ部材はその基端での実質上円筒状の部分と、その末端での少なくとも１つの第１の係合部分と、実質上その間に位置する内壁とを有することができる。円筒状の部分及び内壁は針組立体と合致するように形状づけられ、寸法決めされる。
【００１６】
ホルダ部材の内壁はそこを通る針組立体の部分を受け入れるためにその基端側と末端側との間を延びる円形開口を有することができる。ホルダ部材の第１の係合部分は内壁から末端方向に延びる少なくとも１つのアームである。アームは好ましくは係止部材の第２の係合部分内に着座するように形状づけられ、寸法決めされた延長部分を有する。アームの延長部分はまた、係止部材と関連するようになった傾斜部分を有することができる。ホルダ部材の傾斜部分は好ましくは、両方の傾斜部分がその上での他方の傾斜部分の摺動を許容して、伸長位置で第１の係合部分が第２の係合部分と係合するのを許容するように、係止部材の傾斜部分に対して相補形状となることができる。
【００１７】
【好ましい実施の形態の説明】
便宜上、図に示す実施の形態の本発明の同じ又は等価の素子は同じ符号で特定した。更に、以下の説明において、方位又は方向についてのいかなる参照も、説明の便宜を主として意図するものであり、本発明の要旨をそれに限定するようないかなる方法をも意図するものではない。
【００１８】
図１に示すように、本発明に係るジェット式注射装置１０はハウジング１４に取り付けられたノズル組立体１２を有する。この出願で使用するような、末（端）という用語はジェット式注射装置１０の前部の方に向いた端部又は方向を示す。基（端）という用語はジェット式注射装置１０の後部の方に向いた端部又は方向を示す。長手という用語はノズル組立体１２をジェット式注射装置１０に結ぶ軸線を示し、横断という用語はジェット式注射装置１０又はノズル組立体１２の表面に沿った円弧を含む長手方向に実質上垂直な方向を示す。
【００１９】
ノズル組立体１２は、これが容易に着脱できるように、ハウジング１４にネジ接続される。代わりに、２つの素子を装着又は取り付ける他の既知の構造体も同様にハウジング１４にノズル組立体１２を着脱自在に合致させるために使用できる。このようにして、注射装置１０は同じ時間又は異なる時間で異なる投薬量の異なる薬剤を収容できる種々のノズル組立体と一緒に再使用することができる。例えば、ノズル組立体１２は薬剤を予め充填することができ、各使用後に廃棄することができる。更に、結合装置の如き薬剤充填装置を使用して、流体室を薬剤で満たすことができる。米国特許第５，７６９，１２３号明細書はこのような結合装置に関する。
【００２０】
トリガ組立体１６はハウジング１４の基端に位置する。トリガ組立体１６はノズル組立体１２から薬剤を強制的に送り出すエネルギ源即ち力発生手段１８を作動させ、トリガする。エネルギ源１８はコイルバネ、ガスバネ又はガス推進器とすることができる。
【００２１】
本発明の第１の実施の形態によれば、ノズル組立体１２はノズル組立体１２内で可動な注射補助針２０を有する。針２０については、注射装置１０の他の素子を最初に説明した後に、詳細に説明する。ノズル組立体１２は、好ましくは約０．０４ないし０．４インチ（約１．０１６ないし１０．１６ｍｍ）の直径又はその中への注射補助針２０の導入を許容する任意の他の適当な直径を有する開口２４を末端に備えたノズル部材２２を有する。ノズル部材２２は真円状円錐２８として末端で終端する円筒状の流体室２６を有する。円錐２８は（図示のような）凸状円錐、真円状円錐又は任意の他の適当な形状とすることができる。円錐２８の形に合わせられた圧力壁を有するプランジャ３０は流体室２６内で摺動するように位置する。プランジャ３０はシールを提供するようにその外周辺のまわりに形成された１又はそれ以上のＯ−リング等（図示せず）の如きシール手段を含むことができ、または、米国特許第５，０６２，８３０号明細書に記載されているように、プランジャ自体をシールとすることができる。プランジャはまた、良好なシールを提供するために離間した間隔で付加的なシール手段を含むことができる。
【００２２】
プランジャ３０はエネルギ源１８に接続されたラム３２に接続される。代わりに、必要なら、ラム３２はエネルギ機構と一体的に形成することができる。慣性質量３４はプランジャ３０に最も近いラム３２の端部の近傍でラム３２に接続されるか又はこれと一体的に形成される。慣性質量３４は、例えば薬剤の粘度、所望の初期圧力の形成、エネルギ源１８の強度及び注射侵入の深さ等を考慮して、異なる型式の注射に適応させるように、調整することができる。慣性質量３４はラムリテーナ３６と共働して、ラム３２がノズル組立体１２の方へ進行できる距離を制限する。この特徴の１つの重要な安全態様は、ノズル組立体１２が存在しないときに、注射装置１０が始動された場合に、ラム３２が危険な推進体になれないことである。
【００２３】
トリガ組立体１６はトリガ係合ノッチ４０を有するトリガ延長部３８を含む。トリガ延長部３８は例えばネジ係合によりラム３２の端部に取り付けられる。トリガ組立体１６はまた、作動機構４４に固定的に取り付けられたラッチハウジングスリーブ４２を有する。作動機構４４は回転運動により作動するネジカップリングとして示される。ラッチハウジングスリーブ４２はトリガ延長部３８の通過を許容するように寸法決めされた貫通穴を有する。ラッチハウジングスリーブ４２は更に、玉又は玉軸受４８の通過を許容するように寸法決めされた複数の側壁開口４６を有する。１つの開端と閉端とを有する管状のボタン５０は図示のようにラッチハウジングスリーブ４２内で入れ子式に位置決めされる。ボタン５０はその内壁５４上に形成された円周又は環状の溝５２を有し、トリガ組立体１６が始動位置にあるとき、即ちトリガ延長部３８と係合していないとき（図示せず）に、玉４８の部分が溝５２と係合するのを許容する。玉４８は、トリガ延長部３８がラッチハウジングスリーブ４２を通過するのを許容するために、玉がラッチハウジングスリーブ４２の内側壁表面５６と実質上同一面となるように、位置する。ラッチ玉保持カップ５８はボタン５０内で入れ子式に位置する。圧縮バネ６０はカップ５８とボタン５０とに間に位置し、軸方向で互いに離れるようにボタン５０及びカップ５８を偏倚する。
【００２４】
注射補助針２０の構造を図２、３に明示する。針２０は、流体室２６内へ滑入したときにプランジャ３０を収容するように形状づけられたプランジャ収容部６２を基端に有する。プランジャ収容部６２はプランジャ３０の外側プロフィールに適合するような任意の形状とすることができるが、好ましくは円錐である。針内壁６４は排出されたときの流体を加速するように針排出チャンネル６６への漏斗のように狭くなるように輪郭づけられる。針排出チャンネル６６は針２０の末端で排出オリフィス６８へ延びる。針排出チャンネル６６は０．００４ないし０．０１２インチ（約０．１０ないし０．３０ｍｍ）の直径を有する。好ましくは、直径は０．００５０．００７５インチ（０．１３ないし０．１９ｍｍ））である。
【００２５】
針２０の外周辺は、ノズル組立体１２の流体室２６内に嵌合するように、可変の幾何学形状とすることができる。有利には、針２０は一層小さな円周の円筒状本体区分７２に向かって徐々に狭くなるか又は先細りする円錐本体区分７０を有する。好ましくは、針先端７６を円筒状本体区分７２から分離するように、肩部７４が位置する。針先端７６はまた円筒状であるが、針先端７６がノズル組立体１２の開口２４に嵌合し、これを通って延びることができるように、円筒状本体区分７２よりも一層小さな円周を有する。しかし、針２０の円筒状本体区分７２は、円筒状本体区分７２と針先端７６との間の遷移部に存在する肩区分７４が円筒状本体区分７２が開口２４から出るのを阻止するような、円周を有する。その端部から肩部７４までの針先端７６の長さは約１ないし５ｍｍである。従って、針先端７６は５ｍｍよりも小さな深さだけ皮膚へ侵入する。また、針先端７６は４５゜の角度での単一傾斜端部を有するものとして示すが、針先端７６は皮膚を穿孔する任意の形状を有することができることに留意すべきである。
【００２６】
図４、５に示すように、注射装置１０が始動されたときに、針先端７６が皮膚の外層を穿孔するのに十分な速度でノズル組立体１２の開口２４から伸長するように、針２０は流体室２６の末端内に同軸で引き戻し可能に位置する。針先端７６を５ｍｍよりも小さな深さだけ挿入することにより、典型的には、皮膚の表皮のみが穿孔され、ジェット注射により所望の領域へ薬剤を送給するのに必要な圧力は、針無しジェット注射の場合に必要な圧力よりも低くて済む。注射器及び自動注射装置による薬剤の送給は針の長さにより制限されるが、本発明に係る針アシスト型のジェット式注射装置は針の長さよりも一層深く薬剤を送給する。この深さは皮膚の任意の領域を含むことができ、真皮内、皮下及び筋肉内を含む領域を越えることができる。
【００２７】
針２０と流体室２６との間にシールを提供するため、針２０は針２０の外周辺のまわりに形成され、溝穴８０により収容されたＯ−リング７８等の如きシール手段を含む。図６に示す別の実施の形態においては、針１２０自体がシールとなる。従って、溝穴８０は不要である。針１２０はまた、円筒状本体区分７２が存在せず、円錐本体区分７０が肩部７４で終端している点で、針２０とは異なる。
【００２８】
図５は伸長位置にある注射補助針２０を示す。針先端７６はノズル組立体１２の末端を越えて延びる。肩部７４はノズル開口２４の穴付き内区分に当接し、針２０が針先端７６を越えて伸長するのを阻止する。この実施の形態ではバネである引き戻し素子８２は圧縮され、薬剤が推進された後に、針先端７６がノズル開口２４内へ引き戻されるような反発力を提供する。針２０は好ましくは隆起部８４を有し、その末端表面は引き戻し素子８２の圧縮のための環状領域を提供する。代わりに、隆起部８４の代わりにワッシャを使用して、Ｏ−リング７８を収容し、作動中に引き戻し機構を圧縮することができる。
【００２９】
図７、８は、引き戻し素子８２がＯ−リング又は当業界で既知の他の同様の材料であるようなノズル組立体１２を備えた図６の針１２０を示す。引き戻し素子８２としてＯ−リングを使用する場合、これはまたシール機構としても作用することができ、この理由で、Ｏ−リングが好ましい。針１２０の内部は針２０の内部と同様である。図７は薬剤を推進する前の引き戻し位置での針１２０を示し、図８は薬剤が推進されている期間中の伸長状態を示す。先に述べた実施の形態と同様、この実施の形態はノズル開口２４を越えて針先端７６を伸長させ、作動中に患者の皮膚の外側層を穿孔するように機能する。また、先に述べた実施の形態と同様、針１２０はまた、好ましくは、基端のまわりに隆起部８４を有し、注射装置がトリガされたときに弾性材料を圧縮する表面を提供する。
【００３０】
図９、１０に示す本発明の別の実施の形態は引き戻し素子として可撓性膜８６を使用する。図９は薬剤を推進する前の中立状態を示す。可撓性膜８６は薬剤を保持するための流体室２６を画定するノズル組立体１２の壁８８間を跨ぐ。先に述べた実施の形態と同様、ノズル壁８８の末端は注射装置が作動されるまで針先端７６を隠すように作用する。針２２０は当業界で既知の任意の普通の手段により可撓性膜８６に取り付けられる。好ましくは、針２２０は接着剤により可撓性膜８６に一体的に取り付けられる。図１０はその伸長位置での針２２０を示し、この位置では、針先端７６は、針先端７６が減少した圧力での薬剤の注射及び送給を可能にするために皮膚の外側層を穿孔するように、壁８８を越えて延びる。
【００３１】
本発明の他の実施の形態は固定の針、即ち、ノズル組立体を越えて恒久的に延びる引き戻されない針を備えた注射装置に関する。固定の針を備えた１部品及び２部品ノズル組立体の双方を使用することができ、本発明により意図される。
【００３２】
図１１、１２は固定の針３２０を備えた２部品ノズル組立体を有する本発明の実施の形態を示す。ノズル組立体１２の第１の区分９０は末端に針３２０を有し、ノズル組立体部材を形成するように第２の区分９２に内部的又は外部的に取り付けることができる。溶剤又は接着剤結合の如き任意の普通の取り付け手段を使用することができるが、図１１は第１の区分９０及び第２の区分９２の内部及び外部の取り付けの双方のための好ましい摩擦嵌合又はスナップ式取り付け手段９４を示す。図１２は取り付けのための好ましい超音波結合手段９６を示す。超音波結合特徴９６は２つの部品を取り付けるために任意の位置に配置することができるが、好ましくは、超音波結合特徴９６は製造の容易性を容易にするために第１及び第２の区分９０、９２間のインターフェースにおいて末端に沿って位置する。
【００３３】
固定の針３２０を備えた多部品ノズル組立体の別の実施の形態を図１３に示す。ノズル組立体は固定の針３２０を形成するために管状のインサートを受け入れるように設計された開口２４を備えたノズル部材２２を有する。図１３は多部品ノズル組立体を示すが、固定の針３２０はノズル組立体１２と一体的に作ることができる。
【００３４】
図１４ａ及び図１４ｂは針のまわりに引き戻し可能なシールドを備えた本発明の好ましい実施の形態を示す。図１６に示す内側ハウジング２５は、内側ハウジング２５上に位置する一対のスナップ６５を使用して、外側ハウジング４５内にスナップ式に進入する。スナップ６５は図１５に示す外側ハウジング４５の開口８５を通って突出し、内側ハウジング２５及び外側ハウジング４５を互いに固定関係に維持する。にかわ付け及び溶接の如き当業界で既知の他の技術を使用して、内側ハウジング２５及び外側ハウジング４５を一緒に保持することができる。
【００３５】
内側ハウジング２５はその末端から延びる３つのトリガ突起１００を有する。これらのトリガ突起１００はラム１２５（図１７）の環状くぼみ１４０に合致するような形状を有する。ラム１２５は圧縮バネ２４０により注射装置の末端の方へ押圧されるが、約２．５秒又はそれ以下で２ミリリットルまでの注射を生じさせることのできる他の付勢装置を使用することができる。このような付勢源は典型的にはゴムエラストマー及び圧縮されたガスカートリッジを含む。図１８ａに示すラッチ１６０は外側ハウジング４５内で摺動でき、内側ハウジング２５を取り巻く。ラッチ１６０はその末端でのバレル部分１８０と、その基端での一対の延長部２００とを有する。ジェット式注射装置の始動の準備が整ったとき、図１８ｂに示すバレル部分１８０上の隆起部２２５がトリガ突起１００と接触し、これらをラム１２５の環状くぼみ１４０内に維持し、ラム１２５が圧縮バネ２４０の力の下で始動するのを阻止する。
【００３６】
図１９、３２に示す針ホルダ２６０は右手ネジ２８０により内側ハウジング２５上に装着され、内側ハウジング２５内にカートリッジ組立体３００を保持する。図２０ａに明示するように、カートリッジ組立体３００はその基端での開口３４０及びその末端でのシール３６０を有するガラスアンプル３２０からなる。ガラスアンプル３２０は典型的には０．０２ないし２ミリリットルの薬剤を保持する。ガラスの代わりに、アンプル３２０は金属又は当業界で既知の他の適当な材料で構成することができる。ゴムストッパ３８０はガラスアンプル３２０内で摺動でき、ガラスアンプル３２０の基端で開口３４０をシールし、そのため、薬剤４００はガラスアンプル３２０内に留まる。末端上のシール３６０はその端部に穴を有するアルミニウムキャップ４４０の如き普通の技術によりアンプル３２０の端部に形成されたゴムシール４２０からなる。ラム１２５はガラスアンプル３２０の基端の開口３４０内へ延び、ゴムストッパ３８０と当接する。装置の状態の可視表示を提供するため、外側ハウジング４５の少なくとも一部は透明又は半透明な材料で構成され、そのため、使用者はカートリッジ組立体３００を見ることができる。
【００３７】
図２１に示す針組立体４６０は針ハブ５２０内の長手方向の凹所５００内ににかわ付けされた注射針４８０を有する。長手方向の凹所５００及び注射針４８０上の溝又は他の表面処理が注射針４８０と針ハブ５２０との間の結合を向上させる。代わりに、モールド成形の如き他の既知の固定方法を使用して、針ハブ５２０に注射針４８０を固定することができる。
【００３８】
適当な注射時間を許容するため、注射針４８０は２７ゲージのものとするが、異なる応用に対しては他のゲージが適することがある。針ハブ５２０の末端を越えて延び、注射に使用される針４８０の長さは、好ましくは１ないし５ｍｍである。図２１ｂに示すように、注射針４８０は好ましくは３０゜の角度のポイントを有する。この角度は傾斜部４８１の長さを減少させ、それ故、内腔４８３の有効長さを増大させる。内腔４８３の有効長さの増大は不完全注射の百分率を減少させる。
【００３９】
針組立体４６０は針ホルダ２６０に装着され、ほぼ１／４回転の針ホルダ２６０の右回り回転が針組立体を内側ハウジング２５内へ更にねじ込み、注射針４８０の基端をゴムシール４２０を通して押し込み、薬剤経路を形成する。
【００４０】
図２２ａに示す針ガード５４０は注射装置の末端に位置し、注射針４８０を隠す。針ガード５４０は図２３ａ、２３ｂに示す針ガードキャップ５６０と一緒にスナップ運動する。針ガードキャップ５６０はラッチ１６０の延長部２００上で摺動し、針ガード５４０が注射針４８０を露出させるように注射装置の末端上で長手方向に摺動できるようにする。延長部２００の端部での脚部５８０は、針ガードキャップ５６０従って針ガード５４０が装置の端部から完全に滑出するのを阻止する。
【００４１】
針ガード５４０内のくぼみ６００及び針ホルダ２６０上の対応するボス６２０は針ガード５４０のいかなる回転をも針ホルダ２６０の回転に変換する。図２３ｂに示す針ガードキャップ５６０の内表面上の当接部６５５は、針ホルダ２６０の左回り回転を阻止するように、ラッチ１６０の脚部５８０に関して位置する。これは、使用者が装置を螺外ししててそこからカートリッジ組立体３００を取り外すのを阻止する。
【００４２】
針ガードキャップはその中に一対のカットアウト部６４５を備えた内側フランジ６３５を有する。カットアウト部６４５は内側ハウジング２５の対をなすボス６２５に対応する。フランジ６３５は、カットアウト部６４５が対をなすボス６２５と整合するように回転しない限りは、装置の基端の方への針ガードキャップ５６０及び針ガード５４０の運動を阻止する。これは、注射装置の偶発的な始動を阻止するための安全特徴として作用する。代わりに、着脱自在な安全ストリップの如き他の既知の機構を使用して、注射装置の偶発的な始動を阻止することができる。
【００４３】
帰還バネ６６０（図示せず）は針ホルダ２６０上に位置し、針ガード５４０を注射装置の末端の方へ押圧し、注射針４８０を隠れた状態に保つ。図２３に示す一対のストッパ６４０は針ガードキャップ５６０から延び、針ガード５４０及び針ホルダ２６０が帰還バネ６６０の力の下に右回りに回転できないように、内側ハウジング２５上のボス６２５に関して位置決めされる。
【００４４】
針ガード５４０を注射装置の基端の方へ押圧すると、針ガードキャップ５６０がラッチ１６０を装置の基端の方へ長手方向に押圧し、ラッチ１６０のバレル部分１８０上の隆起部２２５を内側ハウジング２５上のトリガ突起１００から離れるように移動させる。これは、トリガ突起１００がラム１２５の環状のくぼみ１４０から出るように撓むのを許容し、圧縮バネ２４０の力の下でラム１２５を始動させる。ラム１２５が始動したとき、ラムはゴムストッパ３８０をガラスアンプル３２０内で装置の末端の方へ摺動させ、（上述のように、始動前に針ホルダ２６０を１／４回転右回りに回転させることにより生じる）薬剤経路を通して薬剤を流れさせ、注射針４８０から薬剤を排出させる。
【００４５】
図２２ｂに示すように、針ガード５４０はその中に位置する凹所６８０を有する。図２４に示す係止リング７００は凹所６８０内に位置し、装置が始動してしまった後に注射針４８０の再露出を阻止する。係止リング７００は第１の端部での多数の広がった脚部７２０と、針ホルダ２６０から突出する延長部７６０に合致する第２の端部でのアンダーカット部７４０とを有する。係止リング７００は針ホルダ２６０の延長部７６０上の同様に形状づけられた傾斜部分７６５と係合するようになった傾斜部分７４５を第２の端部に有する。傾斜部分７４５、７６５は針ホルダ２６０の延長部７６０と係止リング７００のアンダーカット部７４０との間の合致を容易にする。針ガード５４０を装置の基端の方へ押したとき、延長部７６０がアンダーカット部７４０と係合し、その上で係止される。針ガード５４０がその元の位置へ戻ると、係止リング７００は針ガード５４０の凹所６８０から引き出され、広がった脚部７２０が半径方向外方へ拡張する。針ガード５４０を再度押圧しようとすると、広がった脚部７２０が針ガード５４０上の肩部７８０を捕捉して、針ガード５４０の更なる運動を制限し、注射針４８０の再露出を阻止する。
【００４６】
図３２を参照すると、針ホルダ２６０の好ましい実施の形態が示されている。針ホルダ２６０は、その末端での傾斜部分７６５と、その基端での円筒状の壁部分７６１とを備えた延長部７６０を有する。内壁７６２は針ホルダの末端と基端との間に設けられ、針組立体５２０を受け入れるための円形開口７６３を有する。内壁７６２は好ましくは円筒状の壁部分７６１に対して実質上垂直に配置される。針ハブ５２０は針ホルダ２６０の円筒状の壁部分７６１内に嵌合し、針組立体５２０は、針４８０が延長部７６０を越えて外へ延びるように、開口７６３を通って延びる。延長部７６０は内壁７６２から外方へ末端方向に延びる。ボス６２０は内壁７６２とほぼ同じ平面内で内壁７６２から外方へ横断方向に延びる。ボス６２０はまた、ボス６２０が針ホルダ２６０の最外側部分となるように、円筒状の壁部分７６１から外方へ横断方向に延びる。
【００４７】
図３２に示す針ホルダ２６０の１つの実施の形態においては、針ホルダ２６０は約０．６２インチ（約１５．７５ｍｍ）の長さを有する。傾斜部分７６５は好ましくは約２０゜の角度Ｇである。寸法Ｂが約０．５３９インチ（約１３．６９ｍｍ）となるように、傾斜部分はほぼ０．０８インチ（約２．０３ｍｍ）の長さを有する。延長部７６０は、寸法Ｃがほぼ０．４８インチ（約１２．１９ｍｍ）となるように、係止リング７００のアンダーカット部７４０に係合するようになった肩部７６４を有する。円筒状の壁部分７６１は好ましくは０．３２インチ（約８．１３ｍｍ）の長さＤを有し、ほぼ０．０２５インチ（約０．６４ｍｍ）の半径を有する内半径湾曲Ｋを介して内壁７６２と関連する。円筒状の壁部分７６２はほぼ０．００５インチ（約０．１８ｍｍ）の半径を有する内半径湾曲部分Ｊを介してボス６２０と関連する。円筒状の壁部分７６１は好ましくは、外径開口Ｈが内径開口Ｉよりも大きくなるように、外方へ広がる。１つの実施の形態においては、外径開口Ｈはほぼ０．３９インチ（約９．９１ｍｍ）であり、内径開口Ｉはほぼ０．３８１インチ（約９．６８ｍｍ）である。この実施の形態においては、内壁７６２の円形開口７６３はほぼ０．１７インチ（約４．３２ｍｍ）の直径Ｅを有し、延長部７６０間の距離Ｆはほぼ０．３インチ（約７．６２ｍｍ）である。
【００４８】
ここで、図３３を参照すると、係止リング７００の基端はアンダーカット部７４０及び傾斜部分７４５を含むものとして示されている。係止リング７００の１つの実施の形態においては、傾斜部分７４５は好ましくはほぼ６０゜の角度Ｍであり、ほぼ０．０３５インチ（約０．８９ｍｍ）の長さＮを有する。アンダーカット部７４０は係止リング７００の基端に関してほぼ０．０５インチ（約１．２７ｍｍ）の距離Ｏだけ内側に形成される。係止リング７００はほぼ０．０５インチ（約１．２７ｍｍ）の厚さＬを有し、アンダーカット部７４０はほぼ０．０２インチ（約０．５１ｍｍ）の距離Ｐだけ横断方向に延びる。傾斜７４５は針ホルダ２６０の傾斜部分７６５と係合するように形状づけられ、寸法決めされる。
【００４９】
係止リング７００の基端及び針ホルダ２６０のための種々の寸法を図３２、３３で提供したが、これらは本質的に単なる例示である。他の寸法も有用で機能的であり、本発明はそのような範囲に限定されないことを理解すべきである。
【００５０】
装置はまた、針ガード５４０上で摺動し、その使用前の装置を覆う着脱可能な安全キャップ８００を特徴とする。安全キャップ８００はこれに接続された針キャップ８２０（図２６）を有し、針キャップ８２０は針組立体４６０のまわりに無菌バリヤを形成する。図２５に示すように、安全キャップ８００はその内表面８４０のまわりに等間隔で位置する４つの長手方向のくぼみ８６０を有する。これらの長手方向のくぼみ８６０は針ガード５４０上の対応する位置に位置する２又はそれ以上のボス８８０を受け入れるように寸法決めされる。これら２つの特徴のため、安全キャップ８００の右回り回転が針ガード５４０及び針ホルダ２６０の対応する回転を生じさせる。従って、使用者は、薬剤経路を形成し、注射のために装置を準備するために、安全キャップを装置から取り外す前に、安全キャップ８００を右回りに１／４回転旋回させることができる。
【００５１】
好ましい実施の形態の装置は、最初に安全キャップ８００を１／４回転だけ右回りに旋回させ、薬剤経路を形成するように注射針４８０の基端をアンプル３２０内に挿入することにより、作動される。また、安全キャップ８００を回転させると、安全キャップ８００のカットアウエー６４５が内側ハウジング２５のボス６２５と整合し、針ガード５４０が押圧されるのを許容する。次に、安全キャップ８００、続いて針キャップ８２０を装置から取り外す。
【００５２】
図２８−３１を参照すると、注射工程の一連の位置を示す装置の作動が示されている。図２８を参照すると、ラッチ止めされた注射の準備位置ではあるが、使用者の皮膚に対して押し付けられる前の装置が示されている。針ガード５４０は完全に伸長した状態で示され、針４８０は針ガード５４０内に引き戻されている。図２９においては、装置は使用者の皮膚に対して押し付けられ、針ガード５４０は部分的に押し戻されている。ホルダ２６０の傾斜部分７６５及び係止リング７００の傾斜７４５は接触する。互いに摺動する２つの傾斜部分の作用が帰還バネ（図示しないが、位置６６０として参照される位置）よりも大きな力を発生させる。使用者が皮膚に対して針ガード５４０を押し続けると、ホルダ２６０の延長部７６０が係止リング７００のアンダーカット部７４０内へ押し込まれる。アンダー７４０内へ延長部７６０を押し込むのに必要な力は装置を始動するために打ち勝たねばならないしきい値である。しきい力に打ち勝つように延長部７６０がアンダーカット部７４０内へ押し込まれた後、ホルダ２６０は係止リング内へ前方に迅速に摺動し、注射装置を始動させる。装置の末端が注射箇所に対して押し付けられると、注射針４８０は１ないし５ｍｍの深さまで皮膚に侵入する。針ガード５４０の運動はラム１２５を始動させ、その結果、０．０２ないし２．０ミリリットルの薬剤４００がアンプル３２０から押し出され、約２．７５秒以下で薬剤経路を通過する。
【００５３】
図３０に示すように、針４８０は、使用者の皮膚へ侵入し、注射装置が始動されてしまうように、十分に伸長する。延長部７６０はアンダーカット部７４０内へ押し込まれる。延長部７６０とアンダーカット部７４０との間の係合は、ホルダ２６０及び係止リング７００が分離するのを阻止する。
【００５４】
図３１を参照すると、注射箇所から除去された後の針ガード５４０が示されている。装置が注射箇所から除去された後、針ガード５４０は帰還バネ６６０の力の下にその元の位置へ戻り、注射針４８０を隠す。係止リング７００の脚部７２０は針ガード５４０の凹所６８０から引き出され、伸長するか又は外方へ広がる。この位置において、使用者が針４８０の再使用を試みた場合、脚部７２０は針ガード５４０の肩部７８０と係合し、再使用を阻止する。このようにして、係止リング７００は注射針４８０の再露出を阻止するために針ガード５４０を適所に係止する。代わりに、押しボタンを装置の基端に位置させて、アイドル位置で係止させることができる。針ガード５４０の運動が押しボタンを係止解除でき、使用者がそれを押し、続いて装置を始動させるのを可能にする。
【００５５】
図２０ｂは好ましい実施の形態のカートリッジ組立体３０２の別の実施の形態を示す。カートリッジ組立体３０２はガラスアンプル３２２と、その末端でシールされた針組立体４６２とを有する。穿孔可能なシール４２２は注射針４８２の基端の近傍に位置し、薬剤４０２と注射針４８２との間にバリヤを形成する。ゴムストッパ３８２はガラスアンプル３２２内で摺動でき、基端の開口３４２をシールし、そのため、薬剤４０２はガラスアンプル３２２の内部に留まる。注射装置の始動時に、ラム１２５はゴムストッパ３８２を注射装置の末端の方へ押圧する。薬剤４０２が非圧縮性の流体なので、穿孔可能なシール４２２は注射針４８２の末端上へ押され、バリヤを破壊し、薬剤経路を形成する。このカートリッジ組立体３０２では、薬剤経路を形成するために装置を旋回させる必要はなく、内側ハウジング２５上及び針ホルダ２６０上のネジ部は、にかわ付け又は溶接の如き既知の恒久的な固定技術と交換することができる。
【００５６】
本発明に係る針アシスト型のジェット式注射装置の重要な利点は、所望の割合での薬剤の低圧送給を可能にすることである。これに関し、固定の又は引き戻し可能な針を使用しての注射の投与は普通のジェット式注射装置装置よりも小さなエネルギ及び力で済む。図２７はジェット式注射装置のための圧力／時間曲線を示す。点ｃでのピーク圧力は皮膚を穿孔するのに必要な圧力であり、点ｄ及びそれ以降は薬剤のジェットストリームが送給される圧力である。次の表に示すように、針アシスト型のジェット式注射装置は従来のジェット式注射装置ほど大きなピーク圧力を達成する必要がない。その理由は、皮膚の外側層が針により穿孔されるからである。
【００５７】
【表１】
0004236843.tif 000002
【００５８】
所望の領域へ薬剤を送給し、更に短い注射時間を達成するために低いピーク圧力を使用することができる。また、針及びジェット注射が所望の領域に達した後にジェットストリームを送給するために低い定常圧力を使用することができる。
【００５９】
減少した作動圧力は、ガラスアンプルが破壊する機会を減少させる。次の表は種々の圧力での実際の破壊率のガウス分布に基づく、異なる圧力でのガラスカートリッジに対する破壊の統計学上の予測を示す。
【００６０】
【表２】
0004236843.tif 000003
【００６１】
圧力の比較的小さな増大（≒１００ｐ．ｓ．ｉ）は２桁の大きさだけ破壊率を増大させる。従って、本発明の針アシスト型のジェット式注射装置の減少した作動圧力はアンプル破壊の危険性を大幅に減少させる。
【００６２】
本発明に係る針アシスト型の注射装置は一層低いエネルギ発生源を使用して作動させることができ、注射の質を更に維持できることを、実験で確認した。特に、５５ポンド力発生手段を有する従来の針無しジェット式注射装置のような１ｍｍの深さまで皮膚を穿孔する針及び２０ポンド力発生手段を有する針アシスト型のジェット式注射装置により、好結果をもたらす注射の一層高い百分率を達成できることを、実験は示した。１−３ｍｍ穿孔する針及び２０ポンド及び４０ポンドの力を提供する力発生手段により、同様の結果が達成された。
【００６３】
次の表に示す本発明に係る針アシスト型のジェット式注射装置の別の利点は、注射器及び自動注射装置に比べて注射時間が短いことである。
【００６４】
【表３】
0004236843.tif 000004
【００６５】
（ただし、単位は、バネ力＝ポンドｆ、流体室直径＝インチ、平均圧力＝ｐｓｉ、注射容積＝ミリリットル、注射時間＝秒である）
先に述べたように、自動注射装置及び注射器は数秒又はそれ以上の注射時間を有する。この注射時間中、注射の質は任意の数の因子のために低下することがある。例えば、患者が注射の完了前に注射器又は自動注射装置を動かすことがある。このような運動は注射に伴う痛みのために偶発的又は意図的に発生することがある。これに対し、他のジェット式注射装置のような針アシスト型の注射装置は１秒以下の注射時間を有する。短い注射時間は注射の質を低下させる可能性を減少させる。
【００６６】
ここに開示された本発明の図示の実施の形態は上述の目的を満たすこと明らかであるが、当業者により種々の修正及び他の実施の形態を工夫することができることを認識すべきである。それ故、特許請求の範囲は本発明の精神及び要旨内に入るそのようなすべての修正及び実施の形態を保護することを意図するものと理解されたい。
【図面の簡単な説明】
【図１】本発明に係る針アシスト型のジェット式注射装置の横断面図である。
【図２】図１のジェット式注射装置上の針の横断面図である。
【図３】図２の針の斜視図である。
【図４】針が引き戻し位置にある状態での図１のジェット式注射装置の拡大横断面図である。
【図５】針が伸長位置にある状態での図１のジェット式注射装置の拡大横断面図である。
【図６】本発明に係る針の第２の実施の形態を示す斜視図である。
【図７】図６の針が引き戻し位置にある状態での本発明に係るジェット式注射装置の部分横断面図である。
【図８】図６の針が伸長位置にある状態での本発明に係るジェット式注射装置の部分横断面図である。
【図９】引き戻し素子としての可撓性部材及び針が引き戻し位置にある状態での本発明の別の実施の形態を示す横断面図である。
【図１０】針が伸長位置にある状態での図９の実施の形態を示す横断面図である。
【図１１】固定の針を有する２部品ノズル組立体の横断面図である。
【図１２】固定の針を有する２部品ノズル組立体の別の実施の形態を示す横断面図である。
【図１３】固定の針を有する２部品ノズル組立体の別の実施の形態を示す横断面図である。
【図１４】図１４ａは本発明の好ましい実施の形態に係る針アシストのジェット式注射装置の横断面図であり、図１４ｂは図１４ａの面に垂直な面に沿った図１４ａの針アシスト型のジェット式注射装置の横断面図である。
【図１５】図１４ａ、１４ｂの針アシスト型のジェット式注射装置の外側ハウジングの斜視図である。
【図１６】図１４ａ、１４ｂの注射装置の内側ハウジングの斜視図である。
【図１７】図１４ａ、１４ｂの注射装置のラムの立面図である。
【図１８】図１８ａは図１４ａ、１４ｂのラッチ組立体の斜視図であり、図１８ｂは図１８ａのＡ−Ａ線における図１４ａ、１４ｂのラッチ組立体の横断面図である。
【図１９】図１４ａ、１４ｂの針ホルダの斜視図である。
【図２０】図２０ａは図１４ａ、１４ｂのカートリッジ組立体の横断面図であり、図２０ｂは図１４ａ、１４ｂのカートリッジ組立体の別の実施の形態を示す横断面図である。
【図２１】図２１ａは図１４ａ、１４ｂの針組立体の横断面図であり、図２１ｂは図１４ａ、１４ｂの注射針の横断面図である。
【図２２】図２２ａは図１４ａ、１４ｂの針ガードの斜視図であり、図２２ｂは図２２ａの針ガードの横断面図である。
【図２３】図２３ａは図１４ａ，１４ｂの針ガードの第１の斜視図であり、図２３ｂは図１４ａ、１４ｂの針ガードキャップの第２の斜視図である。
【図２４】図１４ａ、１４ｂの係止リングの斜視図である。
【図２５】図１４ａ、１４ｂの安全キャップの斜視図である。
【図２６】図１４ａ、１４ｂの針キャップの横断面図である。
【図２７】ジェット式注射装置のための圧力／時間曲線を示す概略図である。
【図２８】安全キャップを取り外した状態での本発明に係るジェット式注射装置の別の実施の形態を示す部分横断面図であり、針ガードが完全に伸長した状態での使用前及びその準備における引き戻し位置での針を備えた注射装置の注射端部を示す図である。
【図２９】針が部分的に引き戻された位置にあり、針ガードが使用前に注射表面に対してあたかも部分的に押し付けられるような中間位置にあるが注射装置を作動させるのに十分なほどには押し付けられていない状態での図２８のジェット式注射装置の横断面図である。
【図３０】針が伸長位置にあり、注射装置が使用者内へ注射始動されてしまった状態での図２８のジェット式注射装置の横断面図である。
【図３１】針が使用後に引き戻し位置にあり、不作動位置へ係止された状態での図２８のジェット式注射装置の横断面図である。
【図３２】図２８の針ホルダの横断面図である。
【図３３】図２８の係止リング上の突起の横断面図である。
【図１】
0004236843.tif 000005
【図２】
0004236843.tif 000006
【図３】
0004236843.tif 000007
【図４】
0004236843.tif 000008
【図５】
0004236843.tif 000009
【図６】
0004236843.tif 000010
【図７】
0004236843.tif 000011
【図８】
0004236843.tif 000012
【図９】
0004236843.tif 000013
【図１０】
0004236843.tif 000014
【図１１】
0004236843.tif 000015
【図１２】
0004236843.tif 000016
【図１３】
0004236843.tif 000017
【図１４Ａ】
0004236843.tif 000018
【図１４Ｂ】
0004236843.tif 000019
【図１５】
0004236843.tif 000020
【図１６】
0004236843.tif 000021
【図１７】
0004236843.tif 000022
【図１８Ａ】
0004236843.tif 000023
【図１８Ｂ】
0004236843.tif 000024
【図１９】
0004236843.tif 000025
【図２０Ａ】
0004236843.tif 000026
【図２０Ｂ】
0004236843.tif 000027
【図２１Ａ】
0004236843.tif 000028
【図２１Ｂ】
0004236843.tif 000029
【図２２Ａ】
0004236843.tif 000030
【図２２Ｂ】
0004236843.tif 000031
【図２３Ａ】
0004236843.tif 000032
【図２３Ｂ】
0004236843.tif 000033
【図２４】
0004236843.tif 000034
【図２５】
0004236843.tif 000035
【図２６】
0004236843.tif 000036
【図２７】
0004236843.tif 000037
【図２８】
0004236843.tif 000038
【図２９】
0004236843.tif 000039
【図３０】
0004236843.tif 000040
【図３１】
0004236843.tif 000041
【図３２】
0004236843.tif 000042
【図３３】
0004236843.tif 000043